(57)【要約】【課題】  元絵となる絵の色彩を認識することができ、且つ、厚塗りを条件とすることなくその上に着色を施すことができ、最終的に独自の趣向による着色作品を完成させることのできる塗り絵用シート及び塗り絵セットを提供すること。【解決手段】  着色描画可能なシート１２上に所定の元絵が下絵として印刷されている塗り絵用シート１０において、元絵は一般に知られた絵柄であり、下絵の印刷は、元絵の色彩を視覚的に確認できる範囲で色彩を薄くして行われている。これにより、利用者は一般に知られた元絵の色彩を目視しつつ、下絵の色彩の残存を気にすることなく直にその上から着色を行うことができ、一般に知られた元絵に独自の感覚による彩色を行ったり、或いは元絵を再現する方向で彩色して絵を完成させる等、種々の塗り絵の楽しみ方が可能である。【選択図】  図１
0003112970.tif 000002
【実用新案登録請求の範囲】
【請求項１】
着色描画可能なシート上に所定の元絵が下絵として印刷されている塗り絵用シートにおいて、
前記下絵の印刷は、前記元絵の色彩を視覚的に確認できる範囲で薄くして行われていることを特徴とする塗り絵用シート。
【請求項２】
前記元絵は一般に知られた絵柄であることを特徴とする請求項１に係る塗り絵用シート。
【請求項３】
前記印刷された下絵の色彩の濃さは、
前記元絵の色彩の濃さに対して１０％〜５０％の濃さとされていることを特徴とする請求項１又は２の何れか１項に記載の塗り絵用シート。
【請求項４】
前記印刷された下絵の色彩の濃さは、
単位面積当たりの着色印刷面積の比率を下げることにより薄くすることを特徴とする請求項１から３の何れか１項に記載の塗り絵用シート。
【請求項５】
前記元絵は、
著名な絵画であることを特徴とする請求項１から４の何れか１項に記載の塗り絵用シート。
【請求項６】
前記元絵は、
著名な漫画の一場面の絵であることを特徴とする請求項１から５の何れか１項に記載の塗り絵用シート。
【考案の詳細な説明】
【技術分野】
【０００１】
本考案は、塗り絵用シート、特に、シート上に元絵が印刷されている塗り絵用シートの改良に関するものである。
【背景技術】
【０００２】
塗り絵は、古くから親しまれており、特に、幼年者の教材や遊び道具として多く用いられている。一般に塗り絵と称されるものは、下絵として元となる絵の外縁部のみが表示されている。すなわち、縁取りした部分のみが表示され、その中に好きな色を塗っていくものである。この様な塗り絵の手法は、幼年者用のみに限らず、絵画等を元絵としたものについては大人向けのものも存在している。
【０００３】
例えば、特許文献１には、「装飾板」が開示されており、非吸水性基板上に予め図柄がカラー印刷された下絵パネルを用い、この下絵の上から同色のアクリル系水彩絵の具などを高濃度のまま肉厚に塗着させ立体感のある油絵の趣を醸成することができる様にしている。そして、その絵の具が硬化した後透明性のラッカー等を塗り、皮膜を形成するものである。また、同文献には、子供などが利用した場合、塗り残しが生じるが、下絵には既に同色の色彩が印刷されているので違和感もないことが述べられている。
【０００４】
また、特許文献２には、モチーフのそれぞれの輪郭線のみ又は全面を塗布すべき水性塗料と同じ色に印刷着色しておく描画手芸用の装飾板が開示されている。具体的には、硬質の板状体に下絵が描かれるが、黒色を地色としている。１つの下絵に描かれるモチーフのそれぞれは、２ｍｍ以上の地色が介在する様に着色されている。また、それぞれのモチーフの輪郭部は、幅１．５〜３ｍｍ程度の幅で塗布すべき色と同色が印刷されている。
【０００５】
【特許文献１】特開昭５８−１６８９９号
【特許文献２】特開昭５６−１１９１７０号
【考案の開示】
【考案が解決しようとする課題】
【０００６】
しかしながら、上記特許文献１に開示された「装飾板」は、基板上に予め図柄がカラー印刷されているが、これはその上に絵の具を肉厚に塗着するためである。したがって、基板だけを見ると単に色つきの図柄が印刷されているに過ぎず、それ以上の技術は開示されていない。すなわち、元の図柄の着色部分が肉厚化され、あたかも油絵のような完成状態とすることを指向しているものであり、利用者が独自に色彩を選択する際、それを容易なものとする方向での工夫はされていない。
【０００７】
同文献の下絵の色彩は通常の濃さで印刷されていることから、同文献には上述の様に子供などが塗り残しても問題がない旨述べられている。このことは、逆に、絵の具の厚さを付加するだけで、下絵の色彩をそのまま用いることが前提になっていることを意味し、また、厚く塗らなければ何処を塗ったのか、塗り残しは何処かの判別も難しいものと考えられる。
【０００８】
また、上記特許文献２には、塗布すべき水性塗料と同じ色に印刷着色された「装飾板」が開示されている。この装飾板の下地の着色は通常の濃さで印刷されているものと考えられ、上記特許文献１の問題点として述べたことがこの特許文献２の技術にも妥当する。
【０００９】
更に、同文献２に具体的に開示された技術では、花や葉や壺などの各モチーフが地色（黒色）によって隔てられている。これは、印刷の塗料の厚さを変え硬質の筆が引っかかりを持つ様にするためであり、この様な手法は、シンプルなモチーフの配置の図柄には適用できるが、有名絵画など複雑な構図のものにはそれぞれの輪郭を地色で取ることは困難であり、適用できない。
【００１０】
この様に従来の塗り絵の中には、下絵として既に色彩を伴って印刷がなされている物は存在しているが、それは厚く塗り上げることを前提としているものであり、元になる絵の色彩を認識し、且つその上に独自の着色を施してオリジナルの着色絵画や図柄を完成させる趣向の塗り絵としては利用できないものである。すなわち、塗り残し部分もそのまま下絵の色彩が違和感なく代用されるので、一般に知られた絵についての塗り絵としては興味を誘引するものがない。
【００１１】
本考案は、上記従来の技術の課題に鑑みてなされたものであり、その目的は、元絵となる絵の色彩を認識することができ、且つ、厚塗りを条件とすることなくその上に着色を施すことができ、最終的に独自の趣向による着色作品を完成させることのできる塗り絵用シートを提供することにある。
【課題を解決するための手段】
【００１２】
上記目的を達成するため、請求項１に係る塗り絵用シートは、
着色描画可能なシート上に所定の元絵が下絵として印刷されている塗り絵用シートにおいて、前記下絵の印刷が、前記元絵の色彩を視覚的に確認できる範囲で色彩を薄くして行われていることを特徴とする。
【００１３】
これにより、元絵の色彩を認識しつつその上から着色を行うことができる。その場合、着色描画可能なシート（画用紙）上の下絵の色彩は元絵よりも薄く印刷されているので、例えば、パステルクレヨンなどにより下絵の色彩の残存を気にすることなく着色していくことができる。すなわち、下絵の着色は薄いので、着色用の材料を分厚く塗る様な必要性はなく、薄く塗っても下絵の色彩とは異なる独自の着色状態とすることができる。また、塗り残しの部分があっても下絵の印刷が薄いので目立つことはないが、そもそも着色した部分と未着色の部分とは色の濃さで明瞭に見分けがつくので塗り残しに関する問題は生じない。
【００１４】
なお、色彩を薄く印刷する手法は種々の手法を採ることができ、印刷面積の調整の方向や印刷インクの濃さを調節する彩色自体の変更等の手法の何れであっても良い。また、絵柄は描かれた絵画だけでなく、写真、印刷物など種々のものが含まれる。
【００１５】
請求項２に係る塗り絵用シートは、
前記元絵が一般に知られた絵柄であることを特徴とする。これにより、利用者は一般に知られた元絵の色彩を認識しつつその上から着色を行うことができる。その場合、上記請求項１で述べた作用に加え、元絵が一般に知られた絵であることから、その一般に知られた絵の構成を下地にして、且つ元絵の色彩を認識しながら着色することができ、その絵に対して独自の発想で異なる着色による絵を完成させたい場合や元絵の色彩にできるだけ近づける着色を行いたい場合もこれを容易に行うことができ、様々な塗り絵の楽しみ方が可能となる。
【００１６】
請求項３に係る塗り絵用シートは、
前記印刷された下絵の色彩の濃さが、前記元絵の色彩の濃さに対して１０％〜５０％の濃さとされていることを特徴とする。この程度薄くすることにより、利用者は、元絵の色彩は細部まで十分に認識することができる一方で、着色時においては、色が薄いことから印象的にも下絵の色彩による拘束感は少なく、また、事実上も厚塗りをしなくても所望の着色を行うことができる。勿論、着色剤を分厚く塗ることは利用者の任意である。
【００１７】
請求項４に係る塗り絵用シートは、
前記印刷された下絵の色彩の濃さを単位面積当たりの着色印刷面積の比率を下げることにより薄くすることを特徴とする。元絵の色彩を薄くする手法は、彩色自体を変更することも考えられるが、本項の考案は単位面積当たりの着色印刷面積の比率を下げて薄くしている。これは、印刷技術に於いて印刷された絵柄を構成する「点」である「網点」の大きさや個数によって色の濃さを調整するものであり、網点が大きければ色は濃くなり、網点の個数が多ければ色は濃くなるという手法である。この様に、印刷の色彩をそのままの色彩を保ちつつ薄くすることで利用者は元絵の色彩を正確に認識することができる。
【００１８】
請求項５に係る塗り絵用シートは、
前記元絵が、著名な絵画であることを特徴とする。この著名な絵画は、より著名性の高いものが好ましく、例を挙げれば、人気の高いヴィンセント・ヴァン・ゴッホの絵画の様なものである。この様な著名な絵画を色彩を薄くして印刷したシート、すなわち、画用紙等に個々の利用者が着色を行うが、この際、元絵の色彩、すなわち原画の彩色を細かく実感を持って認識することができ、単に絵画を鑑賞している時には認識できない様々な発見が多く得られる。特に、このことは画家などの専門家でないが絵画を好む者にとって大変興味深いことであり、この様な著名な元絵を用いた本発明の塗り絵を用いることにより、絵画教育にも大きな利点をもたらす。
【００１９】
請求項６に係る塗り絵用シートは、
前記元絵は、著名な漫画の一場面の絵であることを特徴とする。この著名な漫画の一場面を元絵とした場合、その漫画に関心のある利用者は、オリジナルの色彩を認識しつつ、自由な発想で着色を行うことができ、その漫画をより身近に感じることができ、塗り絵の楽しさがより高められる。
【考案の効果】
【００２０】
上記構成の塗り絵用シート及びこれを含む塗り絵セットによれば、利用者は一般に知られた元絵の色彩を目視しつつ直にその上から着色を行うことができ、その際、薄い着色の下絵の色彩の残存を気にすることなく着色作業を行うことができる。これにより、一般に知られた元絵に独自の感覚による彩色を行ったり、元絵を再現する方向で彩色して絵を完成させる等、種々の塗り絵の楽しみ方が可能となる。また、利用者は着色時に細かく元絵の色彩を認識することとなり、原画の画家の彩色の特徴を強く感受することができ、絵画教育にも貢献するものである。
【考案を実施するための最良の形態】
【００２１】
以下、図面に基づいて本考案の好適な実施の形態について説明する。図１は本考案に係る塗り絵用シートの一例を示している。図示の様に、この実施の形態に係る塗り絵用シート１０は、ヴィンセント・ヴァン・ゴッホの「アルルのはね橋」（図２の符号２０参照乞）を元絵としたものであり、着色描画可能なシートである画用紙１２に現された下絵１００は、原画の色彩の濃さの３０％の薄さで印刷されたものである。この様な薄く印刷する手法は、種々の手法を用いることができるが、本実施の形態では、単位面積当たりの着色面積を調整することにより、色の濃さを調整している。すなわち、３０％の着色面積となる様に製版している。
【００２２】
一般的に、印刷技術における色彩の印刷は、藍色、紅色、黄色，墨の４色のインクを用い、これらを重ね合わせて、全ての色を表現している。そして、印刷される色の濃さは、網点と呼ばれる点によって調整されている。すなわち、網点の大きさによって濃さを調整する手法（ＡＭ網点（Amplitude Modulation））や同一サイズの網点の数を変えることで濃さを調整する手法（ＦＭ網点（Frequency Modulation ））等を用いて、印刷する下絵の濃さを調整することができる。
【００２３】
下絵は好適には原画の色彩に対し、１０％〜５０％の薄さに印刷される。この様な薄さとすることにより、塗り絵用シート１０の利用者は、着色を行う際に原画の色彩を認識しながら着色を行うことができる。着色材としてはパステルクレヨンなどを用いることができるが、シートとして画用紙が用いられているので画用紙への着色ができる物であればこれには限られない。また、原画の色彩を認識できる範囲で薄く印刷されているので、着色材を薄く塗っても下絵の色彩はほぼ見えなくなるので、下絵の色彩は参考にすることはできるが、ほぼ拘束されることなく着色することができる。このことは実際の色彩への影響だけでなく、利用者に強い印象を与えないので自由な発想による着色も確保される。
【００２４】
実際に、このゴッホの「アルルのはね橋」を例に取れば、着色作業を行う際に、ゴッホによる着色の仕方の特殊な趣向や意外性を感受することができる。例えば、木製の橋の日陰になっている部分の色彩が川面の色彩に近い系統の彩色であることを感じ取りながら、且つその様な彩色に驚きつつ自らの趣向で着色することができる。この様なことは、専門家ではない者にとっては、絵画を鑑賞しているだけでは感受することは難しいが、本実施の形態に係る塗り絵用シート１０を用いた塗り絵をすることにより明確且つ簡単に認識することができる。この様な作用は絵画教育に於いて優れた効果を発揮することが期待される。
【００２５】
また、本実施の形態の様に著名絵画を元絵とする場合、下絵の彩色に対して、独自の感性による着色をする場合は勿論、下絵の彩色に応じてそれに近い着色をした場合でも完成品は原画とはそれぞれ趣の異なるものになり、利用者における作品の完成感は大きいものである。
【００２６】
また、図示していないが、本件発明は、元絵として上述の様な著名な絵画に限られず、著名な漫画やアニメーションの一場面やキャラクターの絵を用いることも可能である。これらの絵柄の場合には、漫画等に関心を持つ利用者が主とした対象になるが、その様な利用者は、色彩が薄く印刷された下絵のオリジナルの漫画やアニメーション等の色彩を目視しながら、簡単に独自の着色を行うことができ、利用者が所望する独自の絵柄を描くことができる。
【００２７】
上記塗り絵用シートの実際の商品化に当たっては、上述の塗り絵用シート１０、着色材としてのパステルクレヨン、原画を印刷した参考画、更には簡易額縁等をセットとすることにより、利用者は、セットを購入するだけで自ら絵画道具等を準備することなく簡単に塗り絵を楽しむことができる。
【００２８】
なお、本考案は上記実施の形態の構成に限定されるものではなく、考案の要旨の範囲内で種々の変更が可能である。例えば、塗り絵用シート１０の色彩の濃さとしては３０％や１０％〜５０％を示したが、この範囲に限定されるものではなく、元絵の色彩を認識することができ、かつ着色の際に使用色の拘束や必要以上に強い印象を与えない程度の濃さで有れば種々調整することができる。また、着色材としては、パステルクレヨンに限られず、水彩絵の具を含む様々なものを用
いることが可能である。更に、絵柄としては、有名な絵画や漫画の一場面の他、美術館秘蔵の知られていない絵画、また、アニメーションに現れる場面やキャラクター等種々のものを採用することができる。
【図面の簡単な説明】
【００２９】
【図１】本考案の実施の形態に係る塗り絵用シートを示す説明図である。
【図２】図１の塗り絵用シートの元絵の色彩の濃さを示す説明図である。
【符号の説明】
【００３０】
１０  塗り絵用シート
１２  画用紙
２０  原画
【図１】
0003112970.tif 000003
【図２】
0003112970.tif 000004
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
【実用新案登録請求の範囲】
【請求項１】
着色描画可能なシート上に所定の元絵が下絵として印刷されている塗り絵用シートにおいて、
前記下絵の印刷は、前記元絵の色彩を視覚的に確認できる範囲で薄くして行われていることを特徴とする塗り絵用シート。
【請求項２】
前記印刷された下絵の色彩の濃さは、
前記元絵の色彩の濃さに対して１０％〜５０％の濃さとされていることを特徴とする請求項１に記載の塗り絵用シート。
【請求項３】
前記印刷された下絵の色彩の濃さは、
単位面積当たりの着色印刷面積の比率を下げることにより薄くすることを特徴とする請求項１又は２の何れか１項に記載の塗り絵用シート。
【請求項４】
前記元絵は、
絵画であることを特徴とする請求項１から３の何れか１項に記載の塗り絵用シート。
【請求項５】
前記元絵は、
漫画の一場面の絵であることを特徴とする請求項１から４の何れか１項に記載の塗り絵用シート。
【手続補正２】
【補正対象書類名】明細書
【補正対象項目名】００１４
【補正方法】変更
【補正の内容】
【００１４】
また、前記元絵が一般に知られた絵柄である場合には、利用者はその元絵の色彩を認識しつつその上から着色を行うことができる。その場合、元絵が一般に知られた絵であることから、その一般に知られた絵の構成を下地にして、且つ元絵の色彩を認識しながら着色することができ、その絵に対して独自の発想で異なる着色による絵を完成させたい場合や元絵の色彩にできるだけ近づける着色を行いたい場合もこれを容易に行うことができ、様々な塗り絵の楽しみ方が可能となる。
【手続補正３】
【補正対象書類名】明細書
【補正対象項目名】００１６
【補正方法】変更
【補正の内容】
【００１６】
請求項２に係る塗り絵用シートは、
前記印刷された下絵の色彩の濃さが、前記元絵の色彩の濃さに対して１０％〜５０％の濃さとされていることを特徴とする。この程度薄くすることにより、利用者は、元絵の色彩は細部まで十分に認識することができる一方で、着色時においては、色が薄いことから印象的にも下絵の色彩による拘束感は少なく、また、事実上も厚塗りをしなくても所望の着色を行うことができる。勿論、着色剤を分厚く塗ることは利用者の任意である。
【手続補正４】
【補正対象書類名】明細書
【補正対象項目名】００１７
【補正方法】変更
【補正の内容】
【００１７】
請求項３に係る塗り絵用シートは、
前記印刷された下絵の色彩の濃さを単位面積当たりの着色印刷面積の比率を下げることにより薄くすることを特徴とする。元絵の色彩を薄くする手法は、彩色自体を変更することも考えられるが、本項の考案は単位面積当たりの着色印刷面積の比率を下げて薄くしている。これは、印刷技術に於いて印刷された絵柄を構成する「点」である「網点」の大きさや個数によって色の濃さを調整するものであり、網点が大きければ色は濃くなり、網点の個数が多ければ色は濃くなるという手法である。この様に、印刷の色彩をそのままの色彩を保ちつつ薄くすることで利用者は元絵の色彩を正確に認識することができる。
【手続補正５】
【補正対象書類名】明細書
【補正対象項目名】００１８
【補正方法】変更
【補正の内容】
【００１８】
請求項４に係る塗り絵用シートは、
前記元絵が、絵画であることを特徴とする。この絵画は、より著名性の高いものが好ましく、例を挙げれば、人気の高いヴィンセント・ヴァン・ゴッホの絵画の様なものである。この様な著名な絵画を色彩を薄くして印刷したシート、すなわち、画用紙等に個々の利用者が着色を行うが、この際、元絵の色彩、すなわち原画の彩色を細かく実感を持って認識することができ、単に絵画を鑑賞している時には認識できない様々な発見が多く得られる。特に、このことは画家などの専門家でないが絵画を好む者にとって大変興味深いことであり、この様な著名な元絵を用いた本発明の塗り絵を用いることにより、絵画教育にも大きな利点をもたらす。
【手続補正６】
【補正対象書類名】明細書
【補正対象項目名】００１９
【補正方法】変更
【補正の内容】
【００１９】
請求項５に係る塗り絵用シートは、
前記元絵は、漫画の一場面の絵であることを特徴とする。
この漫画の一場面は著名であることが好ましく、この様な漫画の一場面を元絵とした場合、その漫画に関心のある利用者は、オリジナルの色彩を認識しつつ、自由な発想で着色を行うことができ、その漫画をより身近に感じることができ、塗り絵の楽しさがより高められる。
【手続補正７】
【補正対象書類名】明細書
【補正対象項目名】００２０
【補正方法】変更
【補正の内容】
【００２０】
上記構成の塗り絵用シート及びこれを含む塗り絵セットによれば、利用者は元絵の色彩を目視しつつ直にその上から着色を行うことができ、その際、薄い着色の下絵の色彩の残存を気にすることなく着色作業を行うことができる。これにより、元絵に独自の感覚による彩色を行ったり、元絵を再現する方向で彩色して絵を完成させる等、種々の塗り絵の楽しみ方が可能となる。また、利用者は着色時に細かく元絵の色彩を認識することとなり、原画の画家の彩色の特徴を強く感受することができ、絵画教育にも貢献するものである。